(57)【要約】【課題】  配管の一方側に曲がり部が存在し、その方向に反力が加わるのを防止できる無反力型管継手の提供。【解決手段】  第１シリンダ１の可動管２の外面と、第２シリンダ４のピストンロッド５とを連結アーム７で接続し、第１シリンダ１の内部と第２シリンダ４の内部とを連通部８で連結する。そして、第１シリンダ１の軸方向一端及び可動管２の軸方向他端が配管９、配管10で連結される。それにより、内圧で配管の一方側に生じる軸方向の反力をピストン６によって取除くことができる。【選択図】        図１
2013234721.tif 000002
【特許請求の範囲】
【請求項１】
第１シリンダ(1)と、その第１シリンダ(1)の内部に出入自在に内装された可動管(2) と、第１シリンダ(1)に並列され一端に閉塞端(3)を有する第２シリンダ(4)と、
その閉塞端(3)に出入自在に貫通するピストンロッド(5)を有し、そのピストンロッド(5)に固定されて、第２シリンダ(4)内を軸線方向に移動可能なピストン(6)と、
可動管(2) の外面と前記ピストンロッド(5)とを接続する連結アーム(7)と、
第１シリンダ(1)の内部と第２シリンダ(4)の内部とをピストンロッド側で連通する連通部(8)と、を具備し、
前記第１シリンダ(1)の軸方向一端および、可動管(2) の軸方向他端が配管(9)(10)に連結される無反力型管継手。
【請求項２】
請求項１に記載の無反力型管継手において、
前記第１シリンダ(1)に接続される配管(9)の内直径と、前記第２シリンダ(4)の内直径とが同一である無反力型管継手。
【請求項３】
請求項１または請求項２の無反力型管継手において、
第１シリンダ(1)の先端と、可動管(2) の後端に、それぞれボールジョイント型管継手(22)を配置し、そのボールジョイント型管継手(22)の端部のフランジ(14)と第１シリンダ(1)の軸線とのなす角αを任意に変更できるように構成した無反力型管継手。
【発明の詳細な説明】
【技術分野】
【０００１】
本発明は、配管の一方向に生じる反力を相殺することができる無反力型管継手に関する。
【背景技術】
【０００２】
一例として、図３に示すごとく、継手21の両端のフランジ14を介して、配管９と配管10とが接続された配管について説明する。図のごとく、右側に曲がり部19が存在すると、継手21にはＸ方向に反力が生じる。この反力Ｘは、内圧Ｐと配管断面積Ａとの積である。このような反力Ｘが加わる継手は、各種クランプによって、基部等に固定していた。
【発明の概要】
【発明が解決しようとする課題】
【０００３】
しかしながら、配管の反力Ｘをクランプで支持した場合、そのクランプが弛むと配管が移動し、思わぬ事故を起こすおそれがある。
そこで、本発明は配管に曲がり部が存在しても、そこに生じる反力Ｘを取除くことができる無反力型管継手を提供することを課題とする。
【課題を解決するための手段】
【０００４】
請求項１に記載の本発明は、第１シリンダ(1)と、その第１シリンダ(1)の内部に出入自在に内装された可動管(2) と、第１シリンダ(1)に並列され一端に閉塞端(3)を有する第２シリンダ(4)と、
その閉塞端(3)に出入自在に貫通するピストンロッド(5)を有し、そのピストンロッド(5)に固定されて、第２シリンダ(4)内を軸線方向に移動可能なピストン(6)と、
可動管(2) の外面と前記ピストンロッド(5)とを接続する連結アーム(7)と、
第１シリンダ(1)の内部と第２シリンダ(4)の内部とをピストンロッド側で連通する連通部(8)と、を具備し、
前記第１シリンダ(1)の軸方向一端および、可動管(2) の軸方向他端が配管(9)(10)に連結される無反力型管継手である。
【０００５】
請求項２に記載の本発明は、請求項１に記載の無反力型管継手において、
前記第１シリンダ(1)に接続される配管(9)の内直径と、前記第２シリンダ(4)の内直径とが同一である無反力型管継手である。
【０００６】
請求項３に記載の本発明は、請求項１または請求項２の無反力型管継手において、
第１シリンダ(1)の先端と、可動管(2) の後端に、それぞれボールジョイント型管継手(22)を配置し、そのボールジョイント型管継手(22)の端部のフランジ(14)と第１シリンダ(1)の軸線とのなす角αを任意に変更できるように構成した無反力型管継手である。
【発明の効果】
【０００７】
請求項１に記載の発明は、可動管２の外面とピストンロッド５とが連結アーム７で接続され、第１シリンダ１の内部と第２シリンダ４の内部とがピストンロッド側の連通部８で連結され、第１シリンダ１の軸方向一端および、可動管２の軸方向他端が配管９、10に連結されるものである。そのため、内圧で配管の一方向に生じる軸線方向の力を、ピストン６により取り除くことができる。即ち、配管の曲がり部の存在で生じる一方向の力を、ピストン６による逆方向の力で相殺することができる。
【０００８】
請求項２に記載の発明は、第１シリンダ１に接続される配管９の内直径と、第２シリンダ４の内直径とが同一である。そのため、内圧で配管の一方向に生じる軸線方向の力を、ピストン６により完全に取り除くことができる。
【０００９】
請求項３に記載の本発明によれば、第１シリンダ１の先端と、可動管２の後端に、それぞれボールジョイント型管継手22を配置したから、そのボールジョイント型管継手22の端部のフランジ14と第１シリンダ１の軸線とのなす角αを任意に変更でき、汎用性の高い管継手となる。
【図面の簡単な説明】
【００１０】
【図１】本発明の無反力型管継手の斜視図。
【図２】（Ａ）は同縦断面説明図であり、（Ｂ）は（Ａ）のＢ部拡大図、（Ｃ）は（Ｂ）のＣ−Ｃ断面図。
【図３】従来型管継手の説明図。
【図４】本発明の無反力型管継手の第２実施例の正面図。
【発明を実施するための形態】
【００１１】
次に図面に基づいて、本発明の実施の形態につき説明する。
この継手20は、図１及び図２に示すごとく、第１シリンダ１と可動管２と第２シリンダ４とを有する。第１シリンダ１内には可動管２が軸線方向に、移動自在に内挿されている。そして、第１シリンダ１の一端と可動管２の他端とに、配管接続用の接続フランジ14が設けられている。
【００１２】
第２シリンダ４はその両端が端蓋3aと閉塞端３とで閉塞され、端蓋3aには空気孔18が穿設されている。また、閉塞端３にはピストンロッド５が貫通され、その一端にピストン６が設けられている。ピストンロッド５の他端には、連結アーム７の一端が固定され、その連結アーム７の他端が可動管２に固定されている。さらに、図１に示すごとく、第１シリンダ１と第２シリンダ４との間は固定部材16で固定されている。
【００１３】
さらに、図２に示すごとく、第１シリンダ１と第２シリンダ４とは連通部８によって連通されている。そして、第１シリンダ１と可動管２との間には隙間17が設けられ、その隙間17と連通部８とを介し、第１シリンダ１と第２シリンダ４とが連通する。その連通部８は、ピストン６のピストンロッド５側に設けられている。また、可動管２の挿入側先端部外周には、図２のごとく、リング13が被嵌されている。そのリング13外周と第１シリンダ１との間には隙間17として連通する空間が設けられる。一例として、このリング13には図２（Ｃ）のごとく、一定間隔ごとに突条を設けることが好ましい。つまり、突条先端が第１シリンダ１の内周面に当接することにより、可動管と第１シリンダ１との軸線が一定に保たれ、可動管２の円滑な案内をする。
【００１４】
第１シリンダ１と可動管２とにそれぞれフランジ14を介して、配管９、配管10が接続される。この例では、配管10側のみに曲がり部19が存在する。すると、その配管の内圧により、矢印方向に反力Ｘが生じる。この反力Ｘは、内圧Ｐと配管直径Ａとの積に等しい。この例では、配管９及び配管10の配管直径Ａと、第２シリンダ４の直径Ｂとがほぼ等しい。
【００１５】
すると、その内圧は第１シリンダ１と可動管２との隙間17及び連通部８を介して第２シリンダ４に加わり、ピストン６を左方に押圧する。その押圧力をＹとすると、第２シリンダ４と配管10との直径が略同一である場合、反力Ｘと押圧力Ｙの絶対値は等しく、方向が反対である。そして、押圧力Ｙはピストンロッド５、連結アーム７を介して可動管２に伝達され、結局、可動管２には右方に反力Ｘが加わり、左方に押圧力Ｙが加わるため、結果として、可動管２は無反力になる。
【００１６】
なお、正確にはピストンロッド５の断面積と内圧との積の分だけ押圧力Ｙが反力Ｘより小さい。そこで、より正確にはピストンロッド５の断面積の分だけ第２シリンダ４の断面積を大きくすれば、完全に両者がバランスする。
なお、この管継手には第１シリンダ１の一端にＯリング11が設けられるとともに、閉塞端３とピストンロッド５との摺動部にもＯリング11が設けられ、且つ、ピストン６と第２シリンダ４の摺動部にもＯリング11が設けられている。
図２において、配管９側（左側）に曲がり部19が存在する場合には、継手20の接続を左右逆にすればよい。
【００１７】
次に、図４は本発明の第２実施例であり、この例が図１の実施例と異なる点は、第１シリンダ１の先端と、可動管２の後端とにそれぞれボールジョイント型管継手22を配置した点である。これによって、そのボールジョイント型管継手22の端部のフランジ14と、第１シリンダ１の軸線とのなす角αが任意に変更できるように形成したものである。この例では、角αを０°〜25°の範囲の任意の角度にして、配管途中に本発明の無反力型管継手を取付けることができる。このようにすることにより、汎用性の高い管継手となる。
なお、ボールジョイント型管継手22は、市販のもので、継手の一方と他方が球面で接触し、内部に流体の流通路が形成されたものである。
【符号の説明】
【００１８】
１  第１シリンダ
２  可動管
３  閉塞端
3a  端蓋
４  第２シリンダ
５  ピストンロッド
６  ピストン
７  連結アーム
８  連通部
９  配管
10  配管
【００１９】
11  Ｏリング
12  導管
13  リング
14  フランジ
16  固定部材
17  隙間
18  空気孔
19  曲がり部
20  継手
21  継手
22  ボールジョイント型管継手
【図１】
2013234721.tif 000003
【図２】
2013234721.tif 000004
【図３】
2013234721.tif 000005
【図４】
2013234721.tif 000006